(57)【要約】【課題】電子投票の際、投票結果が記録される記録媒体が、電子投票装置の起動及び閉鎖によって破壊されることがない電子投票装置を提供する。【解決手段】電子投票装置１３において、起動時には、記録媒体１０，１１が挿入されていなければ電源スイッチ１４が投入できず、電源が投入された場合のみ、電源スイッチノブ１４Ａとフロントドア開口部１５Ｂとの位置が合致し、フロントドアを閉じ施錠することにより前記記録媒体１０，１１を封印することができ、閉鎖時には前記記録媒体１０，１１の封印を解除しなければ電源スイッチ１４を切断することができず、電源を切断しなければ前記記録媒体１０，１１を排出することができないようにする。【選択図】      図３
2004213227.tif 000002
【特許請求の範囲】
【請求項１】
電子投票装置を制御するための電子投票プログラムが格納された領域と投票結果を記録するための投票結果記録領域とを備えた記録媒体を挿入可能な電子投票装置であって、
前記投票結果を記録する第１の記録媒体挿入部と、
前記第１の記録媒体の投票結果を複写保全する第２の記録媒体挿入部と、
前記第１及び第２の記録媒体の挿入を検出する記録媒体検出手段と、
前記記録媒体検出手段により前記第１及び第２の記録媒体の挿入を検出した後、前記電子投票装置の電源の投入を行う電源切換え手段と、
前記電源切換え手段により前記電子投票装置の電源の投入が行われた後、前記第１及び第２の記録媒体の前記投票結果記録領域にデータがないことを確認するゼロ票確認手段と、
前記ゼロ票確認手段により前記第１及び第２の記録媒体の前記投票結果記録領域にデータがないことが確認されたことを表示するゼロ票表示手段と、
前記第１及び第２の記録媒体の取り出しを阻止するための記録媒体封印手段と、
前記投票結果を一時的に記憶する記憶領域と、
前記投票結果を前記第１及び第２の記録媒体に記録する第１及び第２の記録手段と、
を少なくとも有し、
前記投票結果が入力された際は、前記投票結果を一時記憶領域に記憶させると共に前記第１の記録媒体に記録し、
前記第１の記録媒体の記録結果と前記一時記憶領域の記憶内容とを比較した後、
前記投票結果の一致が確認された際は、前記第２の記録媒体に前記投票結果を記録し、
前記第１の記録媒体の記録結果と前記第２の記録媒体の記録結果と比較して、前記記録結果が一致すること確認した後、
前記一時記憶領域の記録内容を消去するようにしたことを特徴とする電子投票装置。
【発明の詳細な説明】
【０００１】
【発明の属する技術分野】
本発明は、電子的に投票を行うための電子投票装置に関する。
【０００２】
【従来の技術】
従来の選挙は自書式とよばれ、国会議員、都道府県の知事、同議員、市町村長、及び同議員等の選挙では、公職選挙法に基づき、地方自治体から有権者に投票所入場券となる葉書が郵送され、有権者は投票所にそれを持参し、選挙人名簿との照合により本人であることの確認を受ける。そして、投票用紙が渡されると、その投票用紙に立候補者の氏名を記入して、投票箱に投函して投票が行われる。同時に複数の選挙が行われる際には複数の投票用紙が配られ、立候補者の氏名を記入して、それぞれの投票箱に投函して投票が行われる。その後、投票箱は体育館等の施設に集められ、人海戦術により開票作業が行われ、投票結果が集計されていた。
【０００３】
そこで、選挙の投票行為や集計作業を自動化できるようにし、投票、集計作業の効率化を行うために、電子機器を用い液晶表示パネルに候補者を表示してタッチパネル等の液晶表示パネルに連動する座標入力装置をスタイラスペンで押圧して候補者を選択した後、その結果を記録媒体に記録し集計する電子投票装置に関する発明が提案されている（例えば、特許文献１参照。）。
【０００４】
上述の特許文献１における電子投票装置は、従来の自書式の投票方式に用いられる投票箱や投票用紙を用いた場合の運用概念を踏襲する形で構成されている。例えば、投票結果が記録される記録媒体は、候補者が記入された投票用紙と同等の扱いであり、投票中に抜き取られたり外部にさらされたりすることがないよう封印されるように構成されている。
また、所定の手順に則って電子投票装置を起動した後、封印を行うと、投票が終了するまでは封印を解除してはならないといった運用規定が定められている。これは電子投票装置に取り付けられた鍵と投票箱につけられた鍵とを同等の扱いとするためであり、従来の自書式の運用規定を踏襲したものである。
【０００５】
従って、電子投票装置を扱う選挙管理者や事務従事者は、その運用手順を間違える事のないように、事前に研修を受けて装置の操作を熟知し、マニュアルに則って所定の手順どおりに起動及び閉鎖を行う必要がある。
すなわち、起動時には記録媒体が確実に装着されている事を確認した上で電源を投入し、封印して投票前の準備を完了し、閉鎖時には規定の閉鎖処理を行った後、電源を遮断しても安全であることを確認した上で封印を解除し、電源を遮断した後に記録媒体を取り出すといった手順で作業を行う必要がある。
【０００６】
【特許文献１】
特開平６−３５９３４号公報（第４６図）
【０００７】
【発明が解決しようとする課題】
これらの一連の作業が確実に行われるかどうかは、選挙管理者及び事務従事者に委ねられているため、各項目ごとに作業が的確に行われたかどうかをチェックシート等を使用してひとつひとつ確認しながら行うといった方策により、間違いを防止しているのが現状である。
しかしながら、電源を投入した後で記録媒体が挿入されていないことに気づいて、あわてて起動最中に記録媒体を挿入してしまったり、閉鎖処理が終了していない状態で記録媒体が抜かれてしまい、記録媒体の記録内容が破損してしまうといったことが考えられる。
【０００８】
また、上述の所定の手順に則って電子投票装置を起動した後、封印を行うと、投票が終了するまでは封印を解除してはならないといった運用規定が定められていると同時に、不正防止の観点から電子投票装置内部には投票プログラムを組み込んではならないといった運用規定が定められている。
従って、電子投票装置を起動するたびに投票結果を記録する前記記録媒体に格納されている投票プログラムあるいは、投票プログラムを格納した記録媒体から投票プログラムを電子投票装置に読み込み、電子投票装置を起動させなければならない。この投票プログラムを格納した記録媒体がない状態で電子投票装置を起動させた場合、装置が動作不能になってしまうということが考えられる。
【０００９】
更には、この投票プログラムがない状態で電子投票装置を起動させて封印まで行ってしまうと、封印を行うと、投票が終了するまでは封印を解除してはならないといった運用規定により封印を解除して起動をやり直すことができず、その電子投票装置は選挙中使用不能となってしまうというということが考えられる。
【００１０】
以上のように、従来提案されている電子投票装置による選挙では、選挙管理者及び事務従事者に係る操作負担及び作業負担が大きく、かつ投票機の起動及び閉鎖に多くの時間と労力を要するという問題があった。
同時に、電子投票においては最も重要となる投票結果の記録メディアが誤った運用によってデータが破壊される危険性があるという問題があった。
また、電子投票装置が使用不能状態に陥ってしまうという問題があった。
【００１１】
本発明は、以上の点に鑑みなされたもので、電子的に投票を受け付ける電子投票装置において、起動時は記録媒体が挿入されていなければ電源が投入できず、電源が投入されていなければ封印することができない構成とすることで、また閉鎖時は封印を解除しなければ電源を切断することができず、電源を切断しなければ記録媒体を排出することができない構成とすることで、記録媒体を破壊することなく確実に起動及び閉鎖を行うことができる電子投票装置を提供する。
また、このような構成とすることで、機器の取り扱いが苦手な人でも、容易に電子投票装置の起動及び閉鎖ができ、選挙の透明性を高く維持した上で選管とは異なる立場の人間がセキュリティに関与できる電子投票装置を提供する。
【００１２】
【課題を解決するための手段】
本発明は、上記課題を解決するために、以下の１）及び２）記載の手段よりなる。
すなわち、
１）電子投票装置を制御するための電子投票プログラムが格納された領域と投票結果を記録するための投票結果記録領域とを備えた記録媒体を少なくとも一つ挿入可能な電子投票装置であって、
少なくとも、
前記記録媒体の挿入を検出する記録媒体検出手段と、
前記電子投票装置の電源の入切を行う電源切換え手段と、
前記記録媒体を封印するための封印手段と、
を有し、
前記記録媒体検出手段により前記記録媒体の挿入を検出した場合のみ、前記電源切換え手段にて前記電子投票装置の電源の投入を可能とし、前記電子投票装置の電源が投入された場合のみ前記封印手段が前記記録媒体を封印することが可能であることを特徴とする電子投票装置。
【請求項２】
電子投票装置を制御するための電子投票プログラムが格納された領域と投票結果を記録するための投票結果記録領域とを備えた記録媒体を少なくとも一つ挿入可能な電子投票装置であって、
少なくとも、
前記記録媒体の挿入を検出する記録媒体検出手段と、
前記電子投票装置の電源の入切を行う電源切換え手段と、
前記記録媒体を封印するための封印手段と、
を有し、
前記封印手段が前記記録媒体の封印を解除した場合、前記電源切換え手段にて前記電子投票装置の電源の切断を可能とし、前記電子投票装置の電源が切断された場合のみ前記記録媒体の排出が可能であることを特徴とする電子投票装置。
【００１３】
【発明の実施の形態】
以下、本発明の電子投票装置の発明の実施の形態につき、好ましい実施例により説明する。
図１は本実施例に適用される電子投票装置の斜視図を示したものである。この電子投票装置１３は、候補者を表示する液晶パネル１３Ａ、投票カードを挿入するための投票カード挿入口１２、記録媒体を封印するためのフロントドア１５、から構成されており、フロントドア１５はそのフロントドア支点１５Ａを中心に回動して手前に開くようになっている。同図は、電源投入前を示したもので、フロントドア１５は記録媒体を封印せず開いている状態である。
【００１４】
図２（ａ），（ｂ）は、電子投票装置１３の電源投入前の操作部を拡大図示した斜視図及びその正面図である。フロントドア１５の内部には、回転式の電源スイッチ１４、その左右に原本用記録媒体及び複写用記録媒体を挿入するスロットから構成されており、それぞれのスロット上にはさらに、原本用記録媒体挿入スロットシャッタ１６、複写用記録媒体挿入スロットシャッタ１７が設けら、それぞれのスロットの横には原本用記録媒体取り出しボタン２３と、複写用記録媒体取り出しボタン２４とが設けられている。回転式の電源スイッチ１４は電源スイッチ軸１４Ｂを中心に９０度の範囲で回転可能で、電源スイッチノブ１４Ａが上方に位置するときに電源ＯＦＦ、矢印２２の方向へ９０度回転させた時に電源ＯＮになるように構成されている。原本用記録媒体挿入スロットシャッタ１６は矢印１８，１９の方向にスライド可能に取り付けられており、図示しないバネの力により常に矢印１９の方向へ付勢されている。複写用記録媒体挿入スロットシャッタ１７は矢印２０，２１の方向にスライド可能に取り付けられており、同様に図示しないバネの力により常に矢印２０の方向へ付勢されている
【００１５】
この状態で電源スイッチ１４をＯＮの位置へ９０度回転させようとした場合、電源スイッチ１４が原本用記録媒体挿入スロットシャッタ１６及び複写用記録媒体挿入スロットシャッタ１７に当接するため、電源をＯＮにすることはできない。すなわち、フロントドア１５を閉め電子投票装置１３の記録媒体を封印しようとしても、電源スイッチノブ１４Ａとフロントドア１５の開口部１５Ｂの位置が一致しないため閉めることはできない位置関係になるよう構成している。
【００１６】
次に、図３，図４，図５を用いて電子投票装置の起動の手順を説明する。
図３（ａ），（ｂ）は、電子投票装置１３の電源投入後の操作部を拡大図示した斜視図及びその正面図である。図４はこの電子投票装置１３を起動する時の手順のフローチャートを示したものである。図５は電源投入後の電子投票装置１３内部において、投票準備完了に至るまでのフローチャートを示したものである。電子投票装置本体１３から出ているＡＣ電源ケーブル（図示しない）をコンセントに接続する（Ｓ４１）。次に、原本用記録媒体１０を挿入する。原本用記録媒体挿入スロットシャッタ１６を矢印１８の方へスライドさると、原本用記録媒体スロットへの挿入が可能になる（Ｓ４２）。図３（ｂ）に示すように、原本用記録媒体１０を挿入すると原本用記録媒体挿入スロットシャッタ１６は付勢バネ力によって元の位置に戻ろうとするが、挿入された原本用記録媒体１０によって開いたままの状態となる。
【００１７】
次に複写用記録媒体１１を挿入する。複写用記録媒体挿入スロットシャッタ１７を矢印２１の方へスライドさると、複写用記録媒体スロットへの挿入が可能になる（Ｓ４３）。続いて回転式の電源スイッチ１４を矢印２２の方向へ９０度回転させて電源をＯＮにする（Ｓ４４）。原本用記録媒体１０及び複写用記録媒体１１が挿入されたこの状態では、原本用記録媒体挿入スロットシャッタ１６及び複写用記録媒体挿入スロットシャッタ１７が開いたままの状態に位置しているため、回転式の電源スイッチ１４は、それぞれのシャッタ１６，１７に当接することなく電源がＯＮできる位置まで回転させることが可能となる。
【００１８】
ここで、図５を用いて電源がＯＮになった後の電子投票装置１３内部における、投票準備完了に至るまでの動作を説明する。電源がＯＮになると図示しない制御部により、まずＯＳを起動する（Ｓ５１）。次に、電源がＯＮの期間中動作す記憶領域にプログラムローダを起動する（Ｓ５２）。これは、前述のように電子投票装置１３内部には投票プログラムを持っていないためである。さらに、起動させたプログラムローダにより投票プログラムをロードする（Ｓ５３）。投票プログラムが起動すると液晶表示パネル１３Ａに投票を開始するかどうかを選択する画面を表示（Ｓ５４）させ、管理者が投票開始を選択（Ｓ５４Ｙ）すると電子投票装置１３は、原本用記録媒体１０及び複写用記録媒体１１の投票結果記録領域の内容を調査し“ゼロ”であることを確認した後、ゼロ票確認画面を表示し（Ｓ５５）投票準備が完了する。
【００１９】
電子投票装置１３は電源がＯＮ状態にあるので、電源スイッチ１４は、原本用記録媒体１０および複写用記録媒体１１の一部と、これらの原本用記録媒体取り出しボタン２３と、複写用記録媒体取り出しボタン２４とを覆ってしまうため、原本用記録媒体１０及び複写用記録媒体１１を取り出すことは不可能となる。上述のゼロ票確認画面を目視確認した後、フロントドア１５に設けられたフロントドア開口部１５Ｂと相対する位置に時電源スイッチノブ１４Ａがきたため、フロントドア１５を閉め（Ｓ４５）、南京錠２５により記録媒体を施錠封印する（Ｓ４６）。
【００２０】
以上一連の手順により電子投票装置１３の起動が終了し図６に示すように、南京錠２５により記録媒体を施錠封印した状態となる。この後、投票が開始され、投票者は、投票所受付にて有権者であることを確認された後投票カード（不図示）が発行される。この投票カードを持ち、投票を行う電子投票装置１３の投票カード挿入口１２に投票カードを挿入し、投票を行う。投票が完了すると、電子投票装置１３は投票結果を原本用記録媒体１０および複写用記録媒体１１に記録した後、投票カードを排出し次の投票者を待つ。以後、投票が終了するまで投票動作を繰り返す。
【００２１】
投票終了後の電子投票装置１３の閉鎖手順を説明する。起動の手順とは逆になり、まず電子投票装置１３に図示しない投票終了カードを投票カード挿入口１２から挿入して、電子投票装置１３に投票が終了したことを認識させた後、封印である南京錠２５を解除する。フロントドア１５が開閉可能となるので、フロントドア１５を開く。電源スイッチノブ１４Ａが操作可能となり電源スイッチノブ１４Ａを操作し電源を切断する。電源スイッチノブ１４Ａが電源切断位置に移動したため、原本用記録媒体取り出しボタン２３と、複写用記録媒体取り出しボタン２４とが操作可能となり、記録媒体取り出しボタン２３，２４を操作して記録媒体を排出する。その後、所定の運用に従い原本用記録媒体１０および複写用記録媒体１１を開票所に持ち込み、集計作業を行う。
このように閉鎖の時は、電子投票装置に記録媒体が挿入されている状態で電源を切断した後、記録媒体を取り出す操作を行うため、投票結果が記録された記録媒体をより安全に取り扱うことができる。
【００２２】
次に図７、図８は別実施例で図７に電子投票装置３０の記録媒体検出部の概略ブロック図を、図８に電子投票装置３０の操作部の拡大図を示す。図７に示すように、原本用記録媒体７１及び複写用記録媒体７２が挿入されていることを検出する検出手段７３，７４と、電源スイッチ７０とを独立させた構成としてもよい。検出手段７３，７４は、原本用記録媒体７１及び複写用記録媒体７２が挿入されていることを検出するとともに原本用記録媒体７１及び複写用記録媒体７２を固定する機能を持ち、固定されている場合のみ電源スイッチ７０が操作可能となるようにすることで、原本用記録媒体７１及び複写用記録媒体７２は挿入時、及び排出時において電源が切断された状態となり、記録媒体を破壊から保護することができる。
【００２３】
従って、図８に示すように原本用記録媒体挿入スロット３１、複写用記録媒体挿入スロット３２、電源スイッチ３４、及び南京錠ノブ３３は独立した位置に配置することができるので、原本用記録媒体７１及び複写用記録媒体７２が挿入されていなくても電子投票装置３０のフロントドアを閉じることが可能となり、電子投票装置３０を運搬する時などに発生する破損を未然に防ぐことができる。
【００２４】
【発明の効果】
以上詳述したように本発明によれば、電子的に投票を受け付ける電子投票装置において、起動時は記録媒体が挿入されていなければ電源が投入できず、電源が投入されていなければ前記記録媒体を封印することができない構成とし、閉鎖時は前記記録媒体の封印を解除しなければ電源を切断することができず、電源を切断しなければ前記記録媒体を排出することができない構成とすることで、記録媒体を破壊することなく確実に起動及び閉鎖を行うことができる電子投票装置を提供することができる。
従って、電子投票において最も重要となる記録媒体に記録された投票結果である投票データが、電子投票装置の誤操作により破壊される心配がなく、また選挙管理者及び事務従事者の電子投票装置の起動及び閉鎖の負担を大幅に軽減することができる。
【００２５】
また、このような構成とすることで、機器の取り扱いが苦手な人でも、容易に電子投票装置の起動及び閉鎖ができ、選挙の透明性を高く維持した上で選管とは異なる立場の人間がセキュリティに関与できる電子投票装置を提供する。
【図面の簡単な説明】
【図１】本実施例に適用される電子投票装置の一例を示す斜視図である。
【図２】本実施例に適用される電子投票装置の電源投入前の操作部の一例を拡大図示したものである。
【図３】本実施例に適用される電子投票装置の電源投入後の操作部の一例を拡大図示したものである。
【図４】本実施例に適用される電子投票装置を起動する手順のフローチャートの一例を示したものである。
【図５】本実施例に適用される電子投票装置内部における投票準備完了に至るまでのフローチャートの一例を示したものである。
【図６】本実施例に適用される電子投票装置の記録媒体を封印した状態の一例を示す斜視図である。
【図７】別の実施例に適用される電子投票装置の記録媒体検出部の概略ブロック図である。
【図８】別の実施例に適用される電子投票装置の操作部一例を拡大図示したものである。
【符号の説明】
１０…原本用記録媒体
１１…複写用記録媒体
１２…投票カード挿入口
１３，３０…電子投票装置
１３Ａ…液晶表示パネル
１４，３４…電源スイッチ
１４Ａ…電源スイッチノブ
１４Ｂ…電源スイッチ軸
１５…フロントドア
１５Ａ…フロントドア軸
１５Ｂ…フロントドア開口部
１６…原本用記録媒体挿入スロットシャッタ
１７…複写用記録媒体挿入スロットシャッタ
１８，１９，２０，２１，２２…
２３…原本用記録媒体取り出しボタン
２４…複写用記録媒体取り出しボタン
２５…南京錠
３１…原本用記録媒体挿入スロット
３２…複写用記録媒体挿入スロット
３３…南京錠用ノブ
【図１】
2004213227.tif 000003
【図２】
2004213227.tif 000004
【図３】
2004213227.tif 000005
【図４】
2004213227.tif 000006
【図５】
2004213227.tif 000007
【図６】
2004213227.tif 000008
【図７】
2004213227.tif 000009
【図８】
2004213227.tif 000010